(57)【要約】【課題】身体の所望の箇所でマッサージ効果を得ることが容易なクッションを提供する。【解決手段】クッションは、伸縮性を有する布地で形成された袋体と、袋体に充填された粒状の充填物と、粒状の充填物とともに袋体に収容された、粒状の充填物よりも大きい１又は複数のマッサージ用球体であって、マッサージ用球体による人体への押圧の反力によってマッサージ用球体に中心周りのモーメントが作用すると、マッサージ用球体と接する粒状の充填物が転動する、１又は複数のマッサージ用球体と、を備える。【選択図】図１
2020062232.tif 000002
【特許請求の範囲】
【請求項１】
伸縮性を有する布地で形成された袋体と、
前記袋体に充填された粒状の充填物と、
前記粒状の充填物とともに前記袋体に収容された、前記粒状の充填物よりも大きい１又は複数のマッサージ用球体であって、前記マッサージ用球体による人体への押圧の反力によって前記マッサージ用球体に中心周りのモーメントが作用すると、前記マッサージ用球体と接する前記粒状の充填物が転動する、１又は複数のマッサージ用球体と、
を備える、クッション。
【請求項２】
前記マッサージ用球体の径は、前記粒状の充填物の径の１０倍以上である、
請求項１に記載のクッション。
【請求項３】
前記マッサージ用球体は、発泡プラスチックで形成される、
請求項１または２に記載のクッション。
【請求項４】
前記袋体は、第１主面側の布地と第２主面側の布地とを綴じた中綴じ部を有する、
請求項１ないし３の何れかに記載のクッション。
【請求項５】
前記袋体の内部は、前記中綴じ部により第１の部屋と第２の部屋とに仕切られ、
前記第１の部屋と前記第２の部屋とは、前記マッサージ用球体は通過不能な穴を介して連通する、
請求項４に記載のクッション。
【請求項６】
前記粒状の充填物は、前記穴を通過可能である、
請求項５に記載のクッション。
【請求項７】
前記袋体は、トーラス状に形成される、
請求項１ないし６の何れかに記載のクッション。
【請求項８】
前記袋体は、前記マッサージ用球体を収容可能な突出部を有する、
請求項１ないし６の何れかに記載のクッション。
【請求項９】
前記クッションは、前記第１の部屋に対応する第１の足載せ部と、前記第２の部屋に対応する第２の足載せ部とを有する、
請求項５または６に記載のクッション。
【請求項１０】
前記袋体に連結され、足を挿入するための開口を有するカバーをさらに備える、
請求項９に記載のクッション。
【発明の詳細な説明】
【技術分野】
【０００１】
本発明は、マッサージ効果が得られるクッションに関する。
【背景技術】
【０００２】
特許文献１には、袋状に形成してファスナー等の開閉手段で開閉可能なカバー本体と、当該カバー本体の内側に袋状で形成してファスナー等の開閉手段で開閉可能な装填部と、当該装填部に装填したマッサージ装置とからなるマッサージ装置付のクッションカバーが開示されている。
【先行技術文献】
【特許文献】
【０００３】
【特許文献１】特開２０１３−１０２８６５号公報
【発明の概要】
【発明が解決しようとする課題】
【０００４】
ところで、上記文献では、クッションカバーの所定の位置にマッサージ装置が固定されているため、使用者は身体の所望の箇所でマッサージ効果を得ることが困難である。
【０００５】
本発明は、上記課題に鑑みてなされたものであり、その主な目的は、身体の所望の箇所でマッサージ効果を得ることが容易なクッションを提供することにある。
【課題を解決するための手段】
【０００６】
上記課題を解決するため、本発明の一の態様のクッションは、伸縮性を有する布地で形成された袋体と、前記袋体に充填された粒状の充填物と、前記粒状の充填物とともに前記袋体に収容された、前記粒状の充填物よりも大きい１又は複数のマッサージ用球体であって、前記マッサージ用球体による人体への押圧の反力によって前記マッサージ用球体に中心周りのモーメントが作用すると、前記マッサージ用球体と接する前記粒状の充填物が転動する、１又は複数のマッサージ用球体と、を備える。
【０００７】
上記態様において、前記マッサージ用球体の径は、前記粒状の充填物の径の１０倍以上であってよい。
【０００８】
上記態様において、前記マッサージ用球体は、発泡プラスチックで形成されてよい。
【０００９】
上記態様において、前記袋体は、第１主面側の布地と第２主面側の布地とを綴じた中綴じ部を有してよい。
【００１０】
上記態様において、前記袋体の内部は、前記中綴じ部により第１の部屋と第２の部屋とに仕切られ、前記第１の部屋と前記第２の部屋とは、前記マッサージ用球体は通過不能な穴を介して連通してよい。
【００１１】
上記態様において、前記粒状の充填物は、前記穴を通過可能であってもよい。
【００１２】
上記態様において、前記袋体は、トーラス状に形成されてよい。
【００１３】
上記態様において、前記袋体は、前記マッサージ用球体を収容可能な突出部を有してよい。
【００１４】
上記態様において、前記クッションは、前記第１の部屋に対応する第１の足載せ部と、前記第２の部屋に対応する第２の足載せ部とを有してよい。
【００１５】
上記態様において、前記袋体に連結され、足を挿入するための開口を有するカバーをさらに備えてよい。
【発明の効果】
【００１６】
本発明によれば、身体の所望の箇所でマッサージ効果を得ることが容易となる。
【図面の簡単な説明】
【００１７】
【図１】第１実施形態に係るクッションの構成例を示す平面図である。
【図２】図１に示すＩＩ−ＩＩ線で切断したときの断面図である。
【図３】上記クッションの使用状態例を説明するための図である。
【図４】上記クッションの第１変形例を示す平面図である。
【図５】図４に示すＶ−Ｖ線で切断したときの断面図である。
【図６】上記クッションの第２変形例を示す平面図である。
【図７】図６に示すＶＩＩ−ＶＩＩ線で切断したときの断面図である。
【図８】第２実施形態に係るクッションの構成例を示す平面図である。
【図９】図８に示すＩＸ−ＩＸ線で切断したときの断面図である。
【図１０】上記クッションの使用状態例を説明するための図である。
【図１１】上記クッションの第１変形例を示す平面図である。
【図１２】上記クッションの第２変形例を示す平面図である。
【図１３】上記クッションの第３変形例を示す平面図である。
【図１４】上記クッションの第４変形例を示す平面図である。
【図１５】第３実施形態に係るクッションの構成例を示す平面図である。
【図１６】上記クッションのカバーを取り外した状態を示す平面図である。
【図１７】図１６に示すＸＶＩＩ−ＸＶＩＩ線で切断したときの断面図である。
【図１８】図１６に示すＸＶＩＩＩ−ＸＶＩＩＩ線で切断したときの断面図である。
【発明を実施するための形態】
【００１８】
以下、本発明の実施形態について、図面を参照しながら説明する。
【００１９】
［第１実施形態］
図１は、第１実施形態に係るクッション１Ａの構成例を示す平面図である。図２は、図１に示すＩＩ−ＩＩ線で切断したときの断面図である。図３は、クッション１Ａの使用状態例を説明するための図である。クッション１は、平たい形状を有しており、上側主面（図１で見える面）とその逆の下側主面とを有している。
【００２０】
クッション１は、トーラス状（所謂ドーナツ状）に形成されており、例えば座布団として使用される。クッション１は、トーラス状に形成された袋体４と、袋体４に充填された粒状の充填物５と、粒状の充填物５とともに袋体４に収容されたマッサージ用球体６とを備えている。
【００２１】
袋体４は、例えばポリウレタン弾性繊維等の伸縮性を有する布地で形成されている。図２に示すように、袋体４は、上側主面を構成する上側布地４１と、下側主面を構成する下側布地４２とを縫合することによって形成されている。
【００２２】
粒状の充填物５は、袋体４に張力が生じつつ袋体４が変形可能な程度に、袋体４に充填されている。粒状の充填物５は、同一の形状、大きさ、及び材料で形成された、例えば直径０．１〜１ｍｍ程度の球形の粒状物である。粒状の充填物５は、例えばポリエチレン又はポリスチレン等の発泡プラスチックで形成される。
【００２３】
これに限らず、粒状の充填物５は、そば殻であってもよいし、プラスチック製のパイプ状小片であってもよいし、粒状に加工されたポリエステル綿であってもよい。なお、粒状の充填物５は、形状、大きさ、及び材料の少なくとも１つが互いに異なってもよい。
【００２４】
マッサージ用球体６は、粒状の充填物５とともに袋体４に収容されており、粒状の充填物５に囲まれ、粒状の充填物５と接している。マッサージ用球体６は、粒状の充填物５で満たされた袋体４の内部で、外力を受けて変位又は回転することが可能である。このため、使用者はマッサージ用球体６を自由に移動させて、身体の所望の箇所でマッサージ効果を得ることが容易となる。
【００２５】
マッサージ用球体６は、粒状の充填物５よりも大きく、例えば直径１０〜５０ｍｍ程度の球状物である。具体的には、マッサージ用球体６の直径は、粒状の充填物５の直径の１０倍以上（若しくは１０倍超過）、さらには２０倍以上であることが好ましい。マッサージ用球体６の数は、図示の例では４つであるが、これに限らず、１、２、３又は５以上であってもよい。
【００２６】
マッサージ用球体６は、例えばポリエチレン又はポリスチレン等の発泡プラスチックで形成される。具体的には、マッサージ用球体６は、発泡プラスチックを金型で球状に成形したものであることが好ましい。これに限らず、マッサージ用球体６は木製等であってもよい。なお、マッサージ用球体６は、形状、大きさ、及び材料の少なくとも１つが互いに異なってもよい。
【００２７】
マッサージ用球体６は、マッサージ効果を得るために適度な硬さを有している。具体的には、マッサージ用球体６は、粒状の充填物５よりも硬いことが好ましい。マッサージ用球体６を発泡プラスチックで形成する場合、発泡プラスチックを金型で球状に成形することにより、適度な硬さと適度な弾性とを両立させることが可能である。
【００２８】
図３は、クッション１Ａの使用状態例を説明するための図である。同図は、クッション１Ａに足Ｆが載せられた例を示している。クッション１Ａには、人体の他の一部（例えば臀部）が載せられてもよい。クッション１Ａのマッサージ用球体６を含む部分に足Ｆが載せられると、マッサージ用球体６により足Ｆが押圧される。このとき、マッサージ用球体６には押圧の反力が加わる。
【００２９】
この状態で足Ｆが水平方向に変位すると、マッサージ用球体６には押圧の反力によって中心周りのモーメントが作用して回転する。そして、マッサージ用球体６が回転すると、マッサージ用球体６に接している粒状の充填物５がマッサージ用球体６とは反対方向に転動する。これにより、マッサージ用球体６が滑らかに回転し、マッサージ効果を高めることができる。
【００３０】
使用者は、足Ｆを微小に前後に往復させることで、マッサージ用球体６を転がしながらマッサージ効果を得ることが可能である。
【００３１】
［第１実施形態の変形例］
図４は、第１変形例に係るクッション１Ｂを示す平面図である。図５は、図４に示すＶ−Ｖ線で切断したときの断面図である。第１変形例に係るクッション１Ｂの袋体４は、上側布地４１と下側布地４２とを綴じた中綴じ部４３を有している。
【００３２】
中綴じ部４３は、所定の間隔を空けて複数の箇所に設けられている。具体的には、中綴じ部４３は、トーラス状の袋体４の周方向に沿って周期的に配列している。また、中綴じ部４３は、袋体４の水平方向に対向する２つの縁の間に設けられている。具体的には、中綴じ部４３は、トーラス状の袋体４の径方向における内周側の縁と外周側の縁との間に設けられている。
【００３３】
袋体４の内部は、中綴じ部４３によって複数の部屋４７に仕切られている。言い換えると、隣り合う２つの中綴じ部４３の間には部屋４７が形成されている。隣り合う２つの部屋４７は、中綴じ部４３によって形成された２つの穴４４を介して連通している。一方の穴４４は、中綴じ部４３と内周側の縁との間に形成され、他方の穴４４は、中綴じ部４３と外周側の縁との間に形成されている。
【００３４】
これらの穴４４は、粒状の充填物５とマッサージ用球体６のどちらもが通過可能な大きさに形成されている。このため、粒状の充填物５は、隣り合う部屋４７の一方から他方へ穴４４を通過して移動することが可能である。マッサージ用球体６も、穴４４を通過することが一応は可能であるが、穴４４と大きさが近いため、粒状の充填物５と比べて穴４４を通過し難い。
【００３５】
このように袋体４に中綴じ部４３を設けることで、マッサージ用球体６が位置する範囲（部屋４７）をある程度限定し、使用者はその範囲内でマッサージ用球体６を自由に移動させて使用することが可能となる。また、使用者はマッサージ用球体６を穴４４から別の部屋４７に移動させて使用することも可能である。
【００３６】
図６は、第２変形例に係るクッション１Ｃを示す平面図である。図７は、図６に示すＶＩＩ−ＶＩＩ線で切断したときの断面図である。第２変形例に係るクッション１Ｃの袋体４も、上記第１変形例に係るクッション１Ｂと同様に、上側布地４１と下側布地４２とを綴じた中綴じ部４６を有している。
【００３７】
中綴じ部４６は、トーラス状の袋体４の径方向に延びており、内周側の縁と外周側の縁とのそれぞれに近接している。袋体４の内部は、中綴じ部４６によって複数の部屋４７に仕切られている。隣り合う２つの部屋４７は、中綴じ部４６によって形成された２つの穴４９を介して連通している。
【００３８】
これらの穴４９は、粒状の充填物５は通過可能であるがマッサージ用球体６は通過不能な大きさに形成されている。このため、粒状の充填物５は、隣り合う部屋４７の一方から他方へ穴４４を通過して移動することが可能であるが、マッサージ用球体６は穴４４を通過することができない。
【００３９】
このように袋体４に中綴じ部４６を設けることで、マッサージ用球体６が位置する範囲（部屋４７）を限定し、使用者はその範囲内でマッサージ用球体６を自由に移動させて使用することが可能となる。
【００４０】
なお、穴４４又は４９を粒状の充填物５が通過可能な大きさとすることで、クッション１Ｂ又は１Ｃを全体として変形可能とすることができる。また、マッサージ用球体６による押圧時に余剰の粒状の充填物５が別の部屋４７に移動するので、各部屋４７で得られるマッサージ効果の均質化を図ることが可能となる。
【００４１】
また、粒状の充填物５が各部屋４７を循環するので、特定の部屋４７のマッサージ用球体６が高頻度に使用された場合に、特定の部屋４７の粒状の充填物５が他の部屋４７と比べて劣化してしまうことを避けることが可能となる。これに限らず、各部屋４７は中綴じ部４３又は４６によって完全に仕切られてもよい。
【００４２】
［第２実施形態］
図８は、第２実施形態に係るクッション２Ａの構成例を示す平面図である。図９は、図８に示すＩＸ−ＩＸ線で切断したときの断面図である。図１０は、クッション２Ａの使用状態例を説明するための図である。上記実施形態と重複する構成については、同番号を付すことで詳細な説明を省略する。
【００４３】
クッション２Ａは、三日月状に形成されており、例えば図１０に示すようにマウスＭの後方に配置され、使用者の手首を載せる用途に使用される。クッション２Ａは、三日月状に形成された袋体７Ａと、袋体７Ａに充填された粒状の充填物５と、粒状の充填物５とともに袋体７Ａに収容されたマッサージ用球体６とを備えている。袋体７Ａは、上側布地４１と下側布地４２とを縫合することによって形成されている。
【００４４】
袋体７Ａは、外方に向かって突出した突出部４５を有している。具体的には、突出部４５は、三日月状の袋体７Ａの両端部に設けられている。突出部４５は、外方に向かって徐々に細くなるように円錐状に突出している。突出部４５は、マッサージ用球体６の少なくとも一部を収容可能である。すなわち、袋体７Ａのうち、マッサージ用球体６と口径が同じ又はそれ以下の突出した部分を、突出部４５とする。
【００４５】
このように袋体７Ａに突出部４５を設けることで、袋体７Ａの内部でマッサージ用球体６の自由な移動を可能としつつも、突出部４５にマッサージ用球体６を一時的に保持させた状態でマッサージ効果を得ることも可能となる。
【００４６】
図１１は、第１変形例に係るクッション２Ｂを示す平面図である。クッション２Ｂは、星形状に形成されている。クッション２Ｂは、星形状に形成された袋体７Ｂと、袋体７Ｂに充填された粒状の充填物５と、粒状の充填物５とともに袋体７Ｂに収容されたマッサージ用球体６とを備えている。星形状に形成された袋体７Ｂは、５つの突出部４５を有している。
【００４７】
図１２は、第２変形例に係るクッション２Ｃを示す平面図である。クッション２Ｃは、星形状ないし五角形状に形成されている。クッション２Ｃは、星形状ないし五角形状に形成された袋体７Ｃと、袋体７Ｃに充填された粒状の充填物５と、粒状の充填物５とともに袋体７Ｃに収容されたマッサージ用球体６とを備えている。袋体７Ｃの突出部４５は、上記袋体７Ｂ（図１１参照）の突出部４５よりも先端部が丸まっている。
【００４８】
図１３は、第３変形例に係るクッション２Ｄを示す平面図である。クッション２Ｄは、半月状に形成されている。クッション２Ｄは、半月状に形成された袋体７Ｃと、袋体７Ｃに充填された粒状の充填物５と、粒状の充填物５とともに袋体７Ｃに収容されたマッサージ用球体６とを備えている。半月状に形成された袋体７Ｃは、両端部に突出部４５を有している。
【００４９】
図１４は、第４変形例に係るクッション２Ｅを示す平面図である。クッション２Ｅは、棒状に形成されており、両端部が互いに連結されることで全体として環状に形成されている。クッション２Ｅは、筒状に形成された袋体７Ｅと、袋体７Ｅに充填された粒状の充填物５と、粒状の充填物５とともに袋体７Ｅに収容されたマッサージ用球体６とを備えている。クッション２Ｅは、例えば使用者の手首に装着して使用される。
【００５０】
なお、クッション２Ａ〜２Ｅには、上記第１実施形態の変形例に係る中綴じ部４３又は４６（図４〜図７参照）が設けられてもよい。
【００５１】
［第３実施形態］
図１５は、第３実施形態に係るクッション３の構成例を示す平面図である。図１６は、クッション３のカバー９を取り外した状態（すなわち、クッション部３０のみの状態）を示す平面図である。図１７は、図１６に示すＸＶＩＩ−ＸＶＩＩ線で切断したときの断面図である。図１８は、図１６に示すＸＶＩＩＩ−ＸＶＩＩＩ線で切断したときの断面図である。上記実施形態と重複する構成については、同番号を付すことで詳細な説明を省略する。
【００５２】
クッション３は、クッション部３０と、クッション部３０を覆うカバー９とを備えている。クッション３は、カバー９に形成された開口９５からクッション部３０とカバー９との間の空間Ｓに両足を挿入して使用する足用のクッションである。
【００５３】
図中の矢印は、各方向を示している。クッション部３０とカバー９との間の空間Ｓに収容された足の爪先の方向を「前方向」、踵の方向を「後方向」、左足の方向を「左方向」、右足の方向を「右方向」とする。また、クッション部３０に対するカバー９の方向を「上方向」、その逆を「下方向」とする。
【００５４】
クッション部３０は、角丸四角形状に形成された袋体８と、袋体８に充填された粒状の充填物５と、粒状の充填物５とともに袋体８に収容されたマッサージ用球体６とを備えている。袋体８は、上側主面を構成する上側布地４１と、下側主面を構成する下側布地４２とを縫合することによって形成されている。
【００５５】
カバー９は、クッション部３０の袋体８に連結されている。具体的には、カバー９の周縁部と袋体８の周縁部とが縫合されている。カバー９は、例えば、ポリエステル綿等の綿状の充填物、クッション部３０に含まれる粒状の充填物５と同様の粒状の充填物、又は樹脂フォーム等が充填されたクッションであり、複数の中綴じ部９３を有している。開口９５は、カバー９の後部で左右方向に広がっている。
【００５６】
クッション部３０の袋体８は、上側布地４１と下側布地４２とを綴じた中綴じ部４３及び４６を有している。中綴じ部４６は、袋体８の左右方向の中央で上下方向に延びている。中綴じ部４６の後端は、袋体８の後縁まで達している。袋体８の内部は、中綴じ部４６よりも左方の部屋４８と右方の部屋４８とに仕切られている。
【００５７】
クッション部３０のうち、中綴じ部４６よりも左方の部屋４８に対応する部分は、左足が載せられる足載せ部３１として使用され、中綴じ部４６よりも右方の部屋４８に対応する部分は、右足が載せられる足載せ部３２として使用される。
【００５８】
中綴じ部４６の前端は、袋体８の前縁から離れており、中綴じ部４６の前端と袋体８の前縁との間には、粒状の充填物５は通過可能であるがマッサージ用球体６は通過不能な大きさの穴４９が形成されている。
【００５９】
このため、左方の部屋４８に収容されたマッサージ用球体６は、左方の部屋４８内での移動は可能であるが、右方の部屋４８へは移動できない。同様に、右方の部屋４８に収容されたマッサージ用球体６も、右方の部屋４８内での移動は可能であるが、左方の部屋４８へは移動できない。
【００６０】
これにより、足のマッサージに適した数（図示の例では２つ）のマッサージ用球体６を、中綴じ部４６よりも左方の部屋４８と右方の部屋４８とのそれぞれで維持することが可能となる。
【００６１】
また、袋体８の左縁と中綴じ部４６との間には前後に並ぶ複数の中綴じ部４３が設けられており、袋体８の右縁と中綴じ部４６との間にも前後に並ぶ複数の中綴じ部４３が設けられている（図１６参照）。これによれば、マッサージ用球体６が左右外方に流れることを抑制することが可能である。
【００６２】
以上、本発明の実施形態について説明したが、本発明は以上に説明した実施形態に限定されるものではなく、種々の変更が当業者にとって可能であることはもちろんである。
【産業上の利用可能性】
【００６３】
本発明のクッションは、マッサージ効果が得られるクッションとして有用である。
【符号の説明】
【００６４】
１〜３  クッション
３０  クッション部
３１，３２  足載せ部
４  袋体
４１  上側布地
４２  下側布地
４３  中綴じ部
４４  穴
４５  突出部
４６  中綴じ部
４７，４８  部屋
４９  穴
５  充填物
６  マッサージ用球体
７，８  袋体
９  カバー
９３  中綴じ部
９５  開口
【図１】
2020062232.tif 000003
【図２】
2020062232.tif 000004
【図３】
2020062232.tif 000005
【図４】
2020062232.tif 000006
【図５】
2020062232.tif 000007
【図６】
2020062232.tif 000008
【図７】
2020062232.tif 000009
【図８】
2020062232.tif 000010
【図９】
2020062232.tif 000011
【図１０】
2020062232.tif 000012
【図１１】
2020062232.tif 000013
【図１２】
2020062232.tif 000014
【図１３】
2020062232.tif 000015
【図１４】
2020062232.tif 000016
【図１５】
2020062232.tif 000017
【図１６】
2020062232.tif 000018
【図１７】
2020062232.tif 000019
【図１８】
2020062232.tif 000020